(57)【特許請求の範囲】
【請求項１】
読み取った原稿の画像を、ネットワークを介してサーバーに送信するスキャンサービス端末であって、
スキャンにより原稿を読み取る原稿読み取り部と、
少なくとも、前記サーバーが制御するＷｅｂページを一部又は全部の表示エリアに含む画面と、前記スキャンサービス端末自身に組み込まれているアプリケーションが制御する操作画面とを表示する表示部と、
前記原稿を読み取るスキャンの操作及び読み取られた画像を送信する動作に関して、前記操作画面で表示するように、前記表示部の画面を制御する画面表示制御部と、
読み取った前記原稿の画像の送信先及びスキャンによる読み取りの設定に関する情報に関して、前記Ｗｅｂページを含む前記画面で表示した後に、前記画面表示制御部の制御によって表示される前記操作画面への切り替えを行う表示切替部と、
前記サーバーと送受信を行う送受信部と、を備え、
前記送受信部はスキャンサービス要求を前記サーバーに送信し、該スキャンサービス要求に基づいて前記サーバーから送信される前記Ｗｅｂページを受信し、ユーザーが前記Ｗｅｂページを含む前記画面に入力した入力情報を前記サーバーに送信し、前記入力情報に基づいて前記サーバーが設定して送ってきたガイド表示情報を受信し、
前記画面表示制御部は、前記操作画面上に表示される、前記原稿読み取り部によって原稿のスキャン操作を行うためのガイド表示情報として、前記操作画面の一部の表示エリアに、前記サーバーが設定して送ってきた前記ガイド表示情報を表示するスキャンサービス端末。
【請求項２】
読み取った前記原稿の画像の送信先及びスキャンによる読み取りの設定に関する前記情報に関して、前記Ｗｅｂページによる画面で表示するように前記表示部の画面を制御し、前記情報に基づいてユーザーが前記Ｗｅｂページによる画面に入力した前記入力情報を前記サーバーに送信するＷｅｂブラウザーを備えた請求項１に記載のスキャンサービス端末。
【請求項３】
請求項１又は２に記載のスキャンサービス端末であって、前記画面表示制御部は、スキャンにより読み取った前記原稿のプレビュー画像を前記表示部に表示し、該プレビュー画像の表示に並べて、前記サーバーが送ってきた、正しく原稿をセットして読み込んだ時のプレビュー画像のサンプルを表示することを特徴とするスキャンサービス端末。
【請求項４】
請求項１から３のいずれか１項に記載のスキャンサービス端末であって、ＯＣＲ(Optical Character Recognition)部を備え、該ＯＣＲ部により、前記原稿読み取り部により読み取った原稿の画像に記載されたテキストを認識して、テキストの向きを認識することで、正しく原稿をセットして読み込んだか否かを検出することを特徴とするスキャンサービス端末。
【請求項５】
請求項１又は２に記載のスキャンサービス端末であって、前記原稿読み取り部により読み取る前記原稿が両面原稿であると前記Ｗｅｂページに入力された場合に、前記画面表示制御部は、前記原稿の表面を読み込むときには、該原稿の表面をセットするガイド表示情報を前記サーバーから受信して前記操作画面に表示し、前記原稿の裏面を読み込むときには、該原稿をひっくり返して該原稿の裏面をセットするガイド表示情報を前記サーバーから受信して前記操作画面に表示することを特徴とするスキャンサービス端末。
【請求項６】
請求項１又は２に記載のスキャンサービス端末であって、前記サーバーがスキャン送信された原稿を処理するために、画像の物理的な方向、画像上に表示されるイメージの天地の向きの規定がある場合は、前記画面表示制御部は、原稿を置く方向とイメージの天地の方向のガイド表示情報を、前記サーバーから受信して前記操作画面に表示することを特徴とするスキャンサービス端末。
【請求項７】
請求項１から請求項６のいずれか１項に記載のスキャンサービス端末であって、該スキャンサービス端末は画像を記録媒体に印刷するプリンタ部を更に有する複合機であることを特徴とするスキャンサービス端末。
【請求項８】
請求項７に記載のスキャンサービス端末であって、前記複合機は、前記サーバーから送られる前記画像を、前記プリンタ部により前記記録媒体に印刷することを特徴とするスキャンサービス端末。
【請求項９】
請求項１から８のいずれか１項に記載のスキャンサービス端末と、前記スキャンサービス端末とネットワークを介して接続される前記サーバーと、を備えたスキャンサービスシステム。
【請求項１０】
読み取った原稿の画像を、ネットワークを介してサーバーに送信するスキャンサービス端末のスキャン情報提供方法において、
スキャンサービス要求を前記サーバーに送信し、
該スキャンサービス要求に基づいて前記サーバーから送信される、読み取った前記原稿の画像の送信先及びスキャンの読み込みの設定に関する情報に関するＷｅｂページを受信し、
前記スキャンサービス端末の表示部に、前記Ｗｅｂページを一部又は全部の表示エリアに含む画面を表示し、
前記情報に基づいてユーザーが前記Ｗｅｂページを含む前記画面に入力した入力情報を前記サーバーに送信し、
該画面の表示後に、前記原稿を読み取るスキャンの動作及び読み取られた画像を送信する動作に関して、前記スキャンサービス端末に組み込まれているアプリケーションが制御する操作画面で表示するように前記表示部の画面の切り替えを行い、
原稿のスキャン操作を行うための前記操作画面上に表示される、前記原稿を読み取るためのガイド表示情報として、前記操作画面の一部の表示エリアに、前記Ｗｅｂページへの入力情報に基づいて前記サーバーが設定して送ってきたガイド表示情報を表示するスキャン情報提供方法。
【請求項１１】
請求項１０に記載のスキャン情報提供方法であって、スキャンにより読み取った原稿のプレビュー画像を前記表示部に表示し、該プレビュー画像の表示に並べて、前記サーバーが送ってきた、正しく原稿をセットして読み込んだ時のプレビュー画像のサンプルを表示することを特徴とするスキャン情報提供方法。
【請求項１２】
請求項１０又は１１に記載のスキャン情報提供方法であって、前記スキャンサービス端末はＯＣＲ(Optical Character Recognition)部を備え、該ＯＣＲ部により、前記原稿読み取り部により読み取った原稿の画像に記載されたテキストを認識して、テキストの向きを認識することで、正しく原稿をセットして読み込んだか否かを検出することを特徴とするスキャン情報提供方法。
【請求項１３】
請求項１０に記載のスキャン情報提供方法であって、読み取る前記原稿が両面原稿であると前記Ｗｅｂページに入力された場合に、前記原稿の表面を読み込むときには、該原稿の表面をセットするガイド表示情報を前記サーバーから受信して表示し、前記原稿の裏面を読み込むときには該原稿をひっくり返して該原稿の裏面をセットするガイド表示情報を前記サーバーから受信して表示することを特徴とするスキャン情報提供方法。
【請求項１４】
請求項１０に記載のスキャン情報提供方法であって、前記サーバーがスキャン送信された原稿を処理するために、画像の物理的な方向、画像上に表示されるイメージの天地の向きの規定がある場合は、原稿を置く方向とイメージの天地の方向のガイド表示情報を、前記サーバーから受信して前記操作画面に表示することを特徴とするスキャン情報提供方法。
【請求項１５】
請求項１０から請求項１４のいずれか１項に記載のスキャン情報提供方法であって、前記スキャンサービス端末は画像を記録媒体に印刷するプリンタ部を更に有する複合機であることを特徴とするスキャン情報提供方法。
【請求項１６】
請求項１５に記載のスキャン情報提供方法であって、前記複合機は、前記サーバーから前記画像を受信し、前記プリンタ部により前記画像を前記記録媒体に印刷することを特徴とするスキャン情報提供方法。
【請求項１７】
コンピュータに、請求項１０から１６のいずれか１項に記載のスキャン情報提供方法を実行させるためのスキャン情報提供用プログラム。
【発明の詳細な説明】
【技術分野】
【０００１】
本発明はスキャンサービス端末、スキャンサービスシステム、スキャン情報提供方法、及びスキャン情報提供用プログラムに関わり、特に読み取った原稿をネットワーク上のサーバーに送信するセルフスキャンサービスを行うスキャンサービス端末、そのスキャンサービス端末の操作用のディスプレイに原稿セット等のガイド表示を行なうスキャンサービスシステム、スキャン情報提供方法、及びスキャン情報提供用プログラムに関するものである。
【背景技術】
【０００２】
特許文献１には、利用者が操作する端末に対し、利用者ガイドサーバー装置が実際に操作する状況を観察して利用者の属性をリアルタイムに類推し、端末に最適なガイドを提供して表示させる、利用者属性情報を利用したデータ入力システムの記載があり、このデータ入力システムでは、まずユーザーの操作が一旦行われてから、利用者ガイドサーバー装置から提供される最適なガイドを表示する。
【０００３】
特許文献２には、端末のエラー発生時にエラーについてのＦＡＱ（Frequently Asked Question）リクエストをサーバーに送信し、エラーに対応するＦＡＱをサーバーから端末へ送信する解説情報提供システムの記載があり、この解説情報提供システムでは、サーバーから送信されたエラー発生時の最適なガイドを表示する。
【先行技術文献】
【特許文献】
【０００４】
【特許文献１】特開２００７−１６４５０２号公報
【特許文献２】特開２００１−３１２４６４号公報
【発明の概要】
【発明が解決しようとする課題】
【０００５】
しかしながら、特許文献１の技術では、一度ユーザーの操作の状態を観察するので、その操作時にユーザーの操作ミスが発生するおそれがある。
【０００６】
また、特許文献２の技術は、エラー発生時に特定されたガイドを表示するもので、そのガイドはユーザーの操作ミスを防ぐためのものではない。
【０００７】
本発明は、ユーザーが正しく操作する方法を、サーバー側の要件にあわせ、端末側の組み込みアプリケーションが表示部を制御しているときでも、サーバー側がガイド表示情報を送信して表示部に表示できるスキャンサービス端末、スキャンサービスシステム、スキャン情報提供方法、及びスキャン情報提供用プログラムを提供することにある。
【課題を解決するための手段】
【０００８】
本発明に係るスキャンサービス端末は、読み取った原稿の画像を、ネットワークを介してサーバーに送信するスキャンサービス端末であって、
スキャンにより原稿を読み取る原稿読み取り部と、
少なくとも、前記サーバーが制御するＷｅｂページを一部又は全部の表示エリアに含む画面と、前記スキャンサービス端末自身に組み込まれているアプリケーションが制御する操作画面とを表示する表示部と、
前記原稿を読み取るスキャンの操作及び読み取られた画像を送信する動作に関して、前記操作画面で表示するように、前記表示部の画面を制御する画面表示制御部と、
読み取った前記原稿の画像の送信先及びスキャンによる読み取りの設定に関する情報に関して、前記Ｗｅｂページを含む前記画面で表示した後に、前記画面表示制御部の制御によって表示される前記操作画面への切り替えを行う表示切替部と、
前記サーバーと送受信を行う送受信部と、を備え、
前記送受信部はスキャンサービス要求を前記サーバーに送信し、該スキャンサービス要求に基づいて前記サーバーから送信される前記Ｗｅｂページを受信し、ユーザーが前記Ｗｅｂページを含む前記画面に入力した入力情報を前記サーバーに送信し、前記入力情報に基づいて前記サーバーが設定して送ってきたガイド表示情報を受信し、
前記画面表示制御部は、前記操作画面上に表示される、前記原稿読み取り部によって原稿のスキャン操作を行うためのガイド表示情報として、前記操作画面の一部の表示エリアに、前記ガイド表示情報を表示するスキャンサービス端末である。
【０００９】
本発明に係るスキャン情報提供方法は、読み取った原稿の画像を、ネットワークを介してサーバーに送信するスキャンサービス端末のスキャン情報提供方法において、
スキャンサービス要求を前記サーバーに送信し、
該スキャンサービス要求に基づいて前記サーバーから送信される、読み取った前記原稿の画像の送信先及びスキャンの読み込みの設定に関する情報に関するＷｅｂページを受信し、
前記スキャンサービス端末の表示部に、前記Ｗｅｂページを一部又は全部の表示エリアに含む画面を表示し、
前記情報に基づいてユーザーが前記Ｗｅｂページを含む前記画面に入力した入力情報を前記サーバーに送信し、
該画面の表示後に、前記原稿を読み取るスキャンの動作及び読み取られた画像を送信する動作に関して、前記スキャンサービス端末に組み込まれているアプリケーションが制御する操作画面で表示するように前記表示部の画面の切り替えを行い、
原稿のスキャン操作を行うための前記操作画面上に表示される、前記原稿を読み取るためのガイド表示情報として、前記操作画面の一部の表示エリアに、前記Ｗｅｂページへの入力情報に基づいて前記サーバーが設定して送ってきたガイド表示情報を表示するスキャン情報提供方法である。
【００１０】
本発明に係るスキャンサービスシステムは上記スキャンサービス端末を用いたものである。
【００１１】
本発明に係るスキャン情報提供用プログラムは上記スキャン情報提供方法を実行するためのプログラムである。
【発明の効果】
【００１２】
本発明によれば、ユーザーが正しく操作する方法を、サーバー側の要件にあわせ、端末側の組み込みアプリケーションが表示部を制御しているときでも、サーバー側がガイド表示情報を送信して表示部に表示できるので、ユーザーの原稿のセットミス等の操作ミスを防ぐことができる。
【図面の簡単な説明】
【００１３】
【図１】本発明のスキャンサービスシステムの第１の実施形態を示すブロック図である。
【図２】第１の実施形態のスキャンサービス端末の、端末側アプリケーション制御時に、端末からの要求に応じてサーバーから送られてきたコンテンツデータに基づいてコンテンツ（ガイド表示情報）を表示する例の説明図である。
【図３】第１の実施形態における原稿の読み取り動作を説明するフローチャートである。
【図４】第２の実施形態のスキャンサービス端末の表示部で、読み込んだ原稿のプレビュー画像を端末側の組み込みアプリケーションで表示するときに、サーバーから送信される、正しく原稿をセットした時に読みこまれるプレビュー画像のサンプル画像を、プレビュー画像に並べて表示する場合の例の説明図である。
【図５】第２の実施形態における原稿の読み取り動作の一部を説明するフローチャートである。
【図６】第３の実施形態のスキャンサービス端末において、読み込む原稿が、両面原稿と規定されている場合の例の説明図である。
【図７】第３の実施形態における原稿の読み取り動作を説明するフローチャートである。
【図８】第４の実施形態のスキャンサービス端末において、サーバー側の処理の為に、読み込む原稿が画像の物理的な方向、画像上に表示されるイメージの天地の向きの規定がある場合に、原稿を置く方向とイメージの天地の方向のガイド表示情報を、サーバーから受信して表示部に表示する例を示す説明図である。
【図９】スキャンサービスシステムの端末に用いられる複合機の一例の構成を示すブロック図である。
【図１０】複合機の構成を示す斜視図である。
【発明を実施するための形態】
【００１４】
以下、本発明の実施形態について図面を用いて詳細に説明する。
【００１５】
（第１の実施形態）
図１は本発明のスキャンサービスシステムの第１の実施形態を示すブロック図である。
【００１６】
図１に示すように、本実施形態のスキャンサービスシステムは、スキャンサービス端末（以下、端末と呼ぶ）１０と、端末１０とインターネット等のネットワーク（不図示）を介して接続されるサーバー２０とを備えている。端末１０は本発明のスキャンサービス端末の一実施形態となる。端末１０は、原稿読み取り部（画像処理部）１０１、プレビュー生成部１０２、送受信部１０３、Ｗｅｂブラウザー１０４、表示切替部１０５、ＵＩ制御部１０６（画面表示制御部となる）、表示部１０７、及び制御部１０８を備えている。なお、プレビュー生成部１０２は後述する第２の実施形態のスキャンサービスシステムにおいて用いられるものであり、本実施形態においては無くてもよい。サーバー２０は、ストレージ部２０１、画像処理部２０２、送受信部２０３、Ｗｅｂサーバー部２０４、及び制御部２０５を備えている。表示部１０７は入力部を兼ねており、ここでは、タッチパッチを搭載した液晶ディスプレイが用いられるが、表示部と入力部とを別に備えていてもよい。すなわち、表示部に表示される情報をユーザーが見て、入力部により原稿読み込み、終了等の指示を入力してもよい。スキャンサービスシステムに用いられる端末１０は、スキャナを備えたパーソナルコンピュータや、プリンタ，スキャナ，ファクシミリ等を組み合わせた複合機等が挙げられる。
【００１７】
端末１０の原稿読み取り部（画像処理部）１０１は、原稿台にセットされた原稿の読み取り処理を行い、送信用の画像ファイルを作成する画像処理を行い、送受信部１０３に送信画像引き渡しの処理を行う。送受信部１０３は、画像をサーバー２０の送受信部２０３に送信する。また、原稿読み取り部１０１は、原稿の読み取り処理後にプレビューを生成する場合はプレビュー生成部１０２に画像を引き渡し、プレビュー生成部１０２は、プレビュー画像作成処理を行い、プレビュー画像をＵＩ制御部１０６に引き渡す。
【００１８】
サーバー２０の送受信部２０３は、画像を受信後に画像処理部２０２に送る。画像処理部２０２は画像処理を行った後、画像処理された画像をストレージ部２０１へ保存する。なお、ストレージサービスを行う場合にはこのように画像処理された画像をストレージ部２０１へ保存するが、画像処理された画像を、送受信部２０３を介して端末１０に送り、端末１０でユーザーが準備したＵＳＢメモリ等の記憶媒体に記録したり、端末１０がプリンタ機能を有する場合には記録用紙（記録媒体となる）に印刷することもできる。
【００１９】
原稿読み取り部１０１により原稿の読み取り処理を行う前の過程で、端末１０の制御部１０８が、（１）端末１０のＵＩ制御部１０６による組み込みアプリケーション側で表示処理を行うか、（２）Ｗｅｂブラウザーを起動して、サーバー２０のＷｅｂサーバー部２０４から送信されるＷｅｂページ（サーバーが制御するＷｅｂページ）のデータに基づいてＷｅｂページの表示処理を行うか、を操作ステップに応じて決定し、表示切替部１０５により端末１０の表示部１０７の画面の表示切り替えの処理を行う。
【００２０】
サーバー２０のＷｅｂサーバー部２０４はＷｅｂブラウザー１０４にＷｅｂページのデータを送り、端末１０のＷｅｂブラウザー１０４はこのデータに基づいて表示部１０７にＷｅｂページを表示する。また、端末１０の表示部１０７のＵＩの表示が、端末１０のアプリケーションであっても、原稿セットの規定に応じて、Ｗｅｂサーバー部２０４からコンテンツ（ガイド表示情報）がＵＩ制御部１０６に送信され、ＵＩ制御部１０６はアプリケーション側制御の操作画面表示（操作画面の一部の表示エリア）にコンテンツを組み込んで端末側の表示部１０７に表示する形態もある。
【００２１】
図２は本実施形態の端末の、端末側アプリケーション制御時に、端末からの要求に応じてサーバーから送られてきたコンテンツデータに基づいてコンテンツ（ガイド表示情報）を表示する例の説明図である。図３は本実施形態における原稿の読み取り動作を説明するフローチャートである。
【００２２】
まず、表示部１０７の選択画面（不図示）に表示される、コピー、ファクス、写真プリント、スキャンサービス等の選択メニューからユーザーが「スキャンサービス」を選択してタッチすると、制御部１０８は表示部１０７からスキャンサービス要求を送受信部１０３を介してサーバー２０に送信する（ステップＳ１０１）。サーバー２０のＷｅｂサーバー部２０４はスキャンサービス要求に応じて、サーバー側制御画面読み込みに関する設定等（ログイン、解像度、カラーか白黒か、片面原稿か両面原稿か等）の設定画面（Ｗｅｂページ）のデータを、送受信部２０３を介して端末１０へ送信する。ユーザーの「スキャンサービス」を選択してタッチすると、表示切替部１０５からの指示に従って、Ｗｅｂブラウザー１０４はＷｅｂサーバー部２０４から送られてきた、サーバー側制御画面読み込みに関する設定等のＷｅｂページのデータに基づいて表示部１０７にＷｅｂページを表示する。図２に示すように、表示部１０７には、サーバー側制御画面読み込みに関する設定等の設定画面（Ｗｅｂページ）が表示され、ユーザーが設定情報の入力後に「次へ」をタッチすると、送受信部１０３を介してサーバー２０に入力情報が送信される。次に、サーバー２０のＷｅｂサーバー部２０４から送受信部２０３を介してサーバー側制御送信先の設定、情報表示等の設定画面（Ｗｅｂページ）のデータが端末１０に送信され、Ｗｅｂブラウザー１０４は、サーバー２０から送られてきた、サーバー側制御送信先の設定、情報表示等のＷｅｂページのデータに基づいて表示部１０７にＷｅｂページを表示する。ユーザーが設定情報等の入力後に「次へ」をタッチすると（ステップＳ１０２）、Ｗｅｂページへの入力情報が送受信部１０３を介してサーバー２０に送られる。このようにサーバー２０側から送られてくるＷｅｂページのデータに従って表示されるＷｅｂページによりサーバー側制御画面読み込みに関する設定等（解像度、カラーか白黒か等）を行うのは、サーバー２０から提供される異なるスキャンサービス内容にガイド表示情報を対応させるためである。制御部１０８は、サーバー側制御画面読み込みに関する設定等（解像度、カラーか白黒か、片面原稿か両面原稿か等）の設定画面に対する入力情報に適合するように、原稿読み取り部１０１のスキャン操作の設定を行う。なお、ここではサーバー２０から送信されるサーバー側制御画面読み込みに関する設定等の設定画面（Ｗｅｂページ）、及びサーバー側制御送信先の設定、情報表示等の設定画面（Ｗｅｂページ）はそのまま表示部１０７の画面全部に表示されるが、端末１０自身に組み込まれているアプリケーションが制御する画面の一部に設定画面を組み込んで表示部で表示してもよい。
【００２３】
サーバー２０の制御部２０５は、Ｗｅｂページへの入力情報（解像度、カラーか白黒か等）に基づいてイメージやアニメやテキスト等の、原稿セットを正しく促すためのガイド表示情報を判断し、Ｗｅｂサーバー部２０４から送受信部２０３を介して端末１０へガイド表示情報を送信する。端末１０は送受信部１０３でガイド表示情報を受信する（ステップＳ１０３）。端末１０では、サーバー側制御送信先の設定、情報表示等の設定情報の入力後に表示部１０７の「次へ」をタッチすると、スキャン動作を行うステップになるため、表示切替部１０５は端末側の組み込みアプリケーション側制御の操作画面表示に切り替える。ＵＩ制御部１０６は、この操作画面表示の一部（操作画面の一部の表示エリア）に、サーバー２０から送信される上記ガイド表示情報を組み込んで、表示部１０７にガイド表示情報が組み込まれたアプリケーション側制御の操作画面を表示する（ステップＳ１０４）。ここでは図２に示すように、ＵＩ制御部１０６は、Ｗｅｂサーバー部２０４から送信される、「原稿を置いて、「原稿読込」を押してください。」のテキストと、原稿を置く方向のイメージとを組み込んで操作画面を表示部１０７に表示する。このガイド表示情報に基づいてユーザーが原稿をセットし、表示部１０７の操作画面の「原稿読込」をタッチすると、原稿読み取り部１０１が原稿の読み取りスキャンを行い（ステップＳ１０５）、送受信部１０３が読み取った画像をサーバー２０へ送信する（ステップＳ１０６）。図２に示すＷｅｂページの画面の「終了」又は組み込みアプリケーション側制御の操作画面の「終了」をタッチすると動作が終了する。
【００２４】
端末１０側で操作画面を制御する場合は、通常、端末は自身に組み込まれたガイド表示情報（イメージやアニメやテキスト等）を表示するが、本実施形態では端末側が制御する操作画面であっても、一部のエリアにサーバー２０側から送信されたガイド表示情報（イメージやアニメやテキスト等）の表示を行うので、固定的な原稿セットのガイド表示情報ではなく、その時の操作状況や、サーバー側のスキャンデータを処理する仕様にあわせた適切な原稿セット状態のガイドを行うことができ、ユーザーの原稿セットのミスを低減することができる。
【００２５】
（第２の実施形態）
本第２の実施形態のスキャンサービスシステムでは、第１の実施形態での原稿読み取りスキャン後に原稿のプレビュー画像を生成し、このプレビュー画像と、サーバーから送られてきた、正しく原稿をセットして読み込んだ時のプレビュー画像のサンプルとを比較して、正しく原稿をセットして読み込んだかどうかを判断する。本実施形態のスキャンサービスシステムの構成は図１に示した構成と同じである。
【００２６】
図４は、本実施形態のスキャンサービス端末の表示部で、読み込んだ原稿のプレビュー画像を端末側の組み込みアプリケーションで表示するときに、サーバー２０から送信される正しく原稿をセットした時に読みこまれるプレビュー画像のサンプル（サンプルプレビュー画像）を、プレビュー画像に並べて表示する場合の例の説明図である。図５は本実施形態における原稿の読み取り動作の一部を説明するフローチャートである。図５のステップＳ２０１〜Ｓ２０３は図３のステップＳ１０５とステップＳ１０６との間に行われる処理である。
【００２７】
図２に示すガイド表示情報に従って、ユーザーが原稿台に原稿をセットした後に表示部１０７の操作画面の「原稿読取」をタッチすると、原稿読み取り部（画像処理部）１０１は、原稿台にセットされた原稿の読み取りスキャンを行い（ステップＳ１０５）、プレビュー生成部１０２に画像を引き渡し、プレビュー生成部１０２は、プレビュー画像作成処理を行い（ステップＳ２０１）、ＵＩ制御部１０６に引き渡す。ユーザーが原稿台に原稿をセットした後に表示部１０７の操作画面の「原稿読取」をタッチすると、端末１０からサーバー２０に対してサンプルプレビュー画像要求が送信される。
【００２８】
サーバー２０のＷｅｂサーバー部２０４は、サンプルプレビュー画像要求に応じて、正しく原稿をセットして読み込んだ場合のサンプルプレビュー画像をＵＩ制御部１０６に送信する。ＵＩ制御部１０６は表示される組み込みアプリケーションの操作画面表示において、実際に読み込んだプレビュー画像の横に並べて、サーバー２０から受信した、正しく原稿をセットして読み込んだ場合のサンプルプレビュー画像を表示するように配置する。表示切替部１０５はプレビュー画像とサンプルプレビュー画像とを並べた、組み込みアプリケーションの操作画面を表示部１０７に表示する（ステップＳ２０２）。
【００２９】
図４に示すように、本実施形態では、実際に読み込んだプレビュー画像と、サーバーから送信される、正しく原稿をセットした時に読みこまれたサンプルプレビュー画像とを並べて表示するので、ユーザーは見比べて正しく原稿をセットして読み込んだのか確認ができる。操作画面には「プレビューを確認してください。送信する場合は、［送信スタート］を押してください。」と表示される。正しく読み込まれている場合には（ステップ２０３のＹＥＳ）、ユーザーが表示画面の「送信スタート」をタッチし、送受信部１０３がサーバー２０に読み込まれた画像を送信する（ステップＳ１０６）。次に読み込むべき原稿がある場合にはユーザーが「次の原稿の読み込み→」をタッチして、原稿読み取り部１０１が原稿読み取り操作を行う。正しく読み込まれていない場合（ステップ２０３のＮＯ）、例えば、原稿がセット位置から上下方向、又は左右方向にずれた状態で読み込んだ場合にはプレビュー画像がサンプルプレビュー画像に対してずれて表示され、原稿の縦横や天地を誤って読み込んだ場合にはプレビュー画像の向きがサンプルプレビュー画像の向きと異なって表示されるので、ユーザーが正しく原稿をセットして読み込んでいないと判断し、原稿台にセットされた原稿の位置を修正して配置し、「一枚目やりなおし」をタッチすると、原稿読み取り部１０１が読み取りスキャンを再度行い（ステップ１０４）、上述したステップＳ２０１からＳ２０３を再度行う。
【００３０】
端末１０が、プレビュー画像のサンプルプレビュー画像に対するずれ等を端末自身で検出し、その検出結果に基づいて次の操作をガイドするように表示してもよい。原稿の縦横や天地の誤りは、端末１０にＯＣＲ(Optical Character Recognition)部を設け、ＯＣＲ部により、読み取った原稿の画像に記載されたテキストを認識して、テキストの向きを認識することで検出することができる。ずれ等を端末自身で検出し、その検出結果に基づいて次の操作をガイドするように表示する場合には、例えば、サンプルプレビュー画像とプレビュー画像を表示するとともに、ずれ等を検出した場合に「ずれがあるので、一枚目やりなおしをタッチしてください。」を画面上に表示したり、「一枚目やりなおし」を点滅させて表示したりすることができる。このようなＯＣＲ部はサンプルプレビュー画像とプレビュー画面とを比較しない場合にも原稿の縦横や天地の誤り等を検出するのに有効である。
【００３１】
原稿の読み取り処理を行い、送信用の画像ファイルを作成する画像処理を行い、送受信部１０３に送信画像引き渡しの処理を行った場合には、サーバー２０側の画像処理部２０２がサンプルプレビュー画像に対するプレビュー画像のずれ等を検出し、その検出結果に基づいて、「一枚目やりなおしをタッチしてください。」等の次の操作をガイドするためのガイド表示情報を端末１０のＵＩ制御部１０６に送信してもよい。
【００３２】
（第３の実施形態）
本第３の実施形態は、読み込む原稿が、両面原稿と規定されている場合の例である。本実施形態のスキャンサービスシステムの構成は図１に示した構成と同じである。
【００３３】
図６は、本実施形態のスキャンサービス端末において、読み込む原稿が、両面原稿と規定されている場合の例の説明図である。図７は本実施形態における原稿の読み取り動作を説明するフローチャートである。
【００３４】
表示部１０７には、図２に示したと同様に、サーバー側制御画面読み込みに関する設定等（両面原稿の設定等）の設定画面が表示され、ユーザーが読み取る原稿を両面原稿と入力した後に「次へ」をタッチすると、サーバー側制御送信先の設定、情報表示等の画面が表示され、設定情報の入力後に「次へ」をタッチすると（ステップＳ３０１）、入力情報がＷｅｂサーバー部２０４に送られる。ユーザーが原稿のスキャン操作を行うために原稿台に原稿をセットする操作ステップにおいて、１枚目（表面）を読み込む時は、原稿を置く方向と、表面をスキャンするようにガイドするガイド表示情報をサーバー２０のＷｅｂサーバー部２０４からＵＩ制御部１０６へ送信する。端末１０のＵＩ制御部１０６はこのガイド表示情報を受信する（ステップＳ３０２）。ＵＩ制御部１０６は、組み込まれたアプリケーション側制御の画面の一部に、サーバー２０から送信される上記ガイド表示情報を組み込んで、表示切替部１０５が表示部１０７にガイド表示情報が組み込まれたアプリケーション側制御の画面を表示する（ステップＳ３０３）。原稿の表面をスキャンするために「原稿読込」をタッチし、原稿読み取りスキャンを行った後に（ステップＳ３０４）、送信スタートをタッチして、送受信部１０３から表面の原稿読み取り画像をサーバー２０へ送信する（ステップＳ３０５）。その後、裏面をスキャンするようにガイドするガイド表示情報がサーバー２０のＷｅｂサーバー部２０４からＵＩ制御部１０６へ送信される。ＵＩ制御部１０６は、このガイド表示情報を受信し（ステップＳ３０６）、組み込まれたアプリケーション側制御の操作画面の一部に、サーバー２０から送信される上記ガイド表示情報を組み込んで、表示部１０７にガイド表示情報が組み込まれたアプリケーション側制御の画面を表示する（ステップＳ３０７）。ここでは裏面をスキャンするようにガイドするガイド表示情報として、図６に示すように、原稿を置く方向のイメージと、「表面をスキャンした後は、裏面をスキャンしてください。」のテキスト情報が表示される。その後「原稿読込」をタッチし、原稿の裏面の原稿読み取りスキャンを行った後に（ステップＳ３０８）、送信スタートをタッチして、送受信部１０３から表裏面の原稿読み取り画像をサーバー２０へ送信する（ステップＳ３０９）。読み取るべき原稿が複数ある場合のサーバー２０の原稿の表面、裏面の画像の認識は、奇数番目に送信された画像を表面の画像、偶数番面に送信された画像を裏面の画像とし、表面の画像を受信したときは裏面読み取りのためのガイド表示情報を送信し、裏面の画像を受信したときは表面読み取りのためのガイド表示情報を送信する。なお、原稿の一部にページ番号を含むＱＲコード（登録商標）等のバーコードを印刷しておきサーバー２０の画像処理部２０２がそのバーコードを読み取ってページ番号によって次に読み取るべき原稿が表面であるか裏面であるかを認識してＷｅｂサーバー部２０４が読み取りのためのガイド表示情報を送信してもよい。
【００３５】
本実施形態では、両面原稿を正しく表、裏共にセットするガイド表示情報を、サーバー側の処理の仕様にあわせて表示することができ、ユーザーの原稿セットミスを低減できる。特に裏面をひっくり返すときに、イメージの向きや方向をガイドするので効果的である。
【００３６】
なお、原稿の読み取りスキャン（ステップＳ３０８）後に、第２の実施形態で図５を用いて説明したように、プレビュー画像を生成し、サンプルプレビュー画像と比較して正しい読み取りかどうかを判断してもよい。
【００３７】
（第４の実施形態）
本第４の実施形態は、サーバー側の処理の為に、読み込む原稿が画像の物理的な方向、画像上に表示されるイメージの天地の向きの規定がある場合の例である。本実施形態のスキャンサービスシステムの構成は図１に示した構成と同じである。
【００３８】
図８は、本実施形態のスキャンサービス端末において、サーバー側の処理の為に、読み込む原稿が画像の物理的な方向、画像上に表示されるイメージの天地の向きの規定がある場合に、原稿を置く方向とイメージの天地の方向のガイド表示情報を、サーバーから受信して表示部に表示する例を示す説明図である。本実施形態における原稿の読み取り動作を説明するフローチャートは図３に示したフローチャートと同じである。
【００３９】
図８に示すように、サーバー２０の画像処理部２０２がスキャン送信された原稿を処理するために、画像の物理的な方向、画像上に表示されるイメージの天地の向きの規定がある場合は、ユーザーが原稿のスキャン操作を行うために原稿台に原稿をセットする操作ステップにおいて、原稿を置く方向とイメージの天地の方向のガイド表示情報を、Ｗｅｂサーバー部２０４からＵＩ制御部１０６へ送信する。ＵＩ制御部１０６は、端末側の組み込みアプリケーション側制御の画面表示の一部に、サーバー２０から送信される上記ガイド表示情報を組み込んで、表示部１０７にガイド表示情報が組み込まれたアプリケーション側制御の画面を表示する。ここでは図８に示すように、Ｗｅｂサーバー部２０４から送信される、「横向きの原稿はイメージの天を下にしてください。」及び「縦向きの原稿はイメージの天を右にしてください。」のテキストとこれを図示するイメージとを、端末側の組み込みアプリケーション側制御の画面表示の一部に組み込んで表示部１０７に表示する。
【００４０】
本実施形態では、サーバー２０の画像処理にあわせた原稿のセット方向、イメージの天地の向きをガイドすることにより、ユーザーの原稿セットミスを低減できる。
【００４１】
なお、本実施形態でも原稿の読み取りスキャン後に、第２の実施形態で図５を用いて説明したように、プレビュー画像を生成し、サンプルプレビュー画像と比較して正しい読み取りかどうかを判断してもよい。
【００４２】
次に、以上説明した各実施形態のスキャンサービスシステムに用いられる端末１０として、プリンタ，スキャナ，ファクシミリ等を組み合わせた複合機を用いた例について説明する。複合機はコンビニエンス等に配置されて、スキャンサービスを提供することができる。
【００４３】
図９は、スキャンサービスシステムの端末に用いられる複合機の一例の構成を示すブロック図である。図１０は複合機の構成を示す斜視図である。図１０の複合機の構成は特開２０１５−４３６２９号公報の画像形成装置１００の構成と同様である。
【００４４】
複合機は、図９に示すように、送受信部３００、制御部３０１、操作部３０２、スキャナ部３０４、記憶部３０５、給紙部３０６、プリンタ部３０７、及び排紙部３０８を備えている。斜線で囲った、送受信部３００、制御部３０１、操作部３０２、スキャナ部３０３、及び記憶部３０５は図１に示した端末１０の各構成部として機能する。スキャナ部３０４は原稿読み取り部１０１として機能する。制御部３０２及び記憶部３０５はプレビュー生成部１０２、ＵＩ制御部１０６、制御部１０８、Ｗｅｂブラウザー１０４、及び表示切替部１０５として機能する。操作部３０２は表示部１０７として機能する。送受信部３００は送受信部１０３として機能する。
【００４５】
図１０に示すように、スキャナ部３０４は、複合機の本体上部に搭載されて原稿の画像情報を読取る。スキャナ部３０４は、ガラス板で形成された原稿載置台に原稿を載せ、原稿載置台下で、ライン状の光源とミラーを有する走査系を走査させて原稿に光を照射し、原稿からの反射光をミラーで反射させ、結像光学系を介してＣＣＤ（電荷結合素子）に反射光を結像させて原稿の画像を読み取り、原稿の画像データを出力する。
【００４６】
操作部３０２は、複合機の本体上部の操作側（前面側）に設けられ、タッチパネルディスプレイ３１０と表示操作部３２０とを備えている。タッチパネルディスプレイ３１０は、液晶パネル等で構成された表示パネル、表示パネルに重ねて配置されたユーザーの指で押圧された位置を検出するタッチパネルとで構成される。表示操作部３２０は、表示灯と、電源キーと、省エネルギーキーと、動作モードを選択するホーム画面ヘタッチパネルディスプレイ３１０の表示画面を戻すためのホームキーとで構成される。複合機は、このような構成の表示操作部３２０を備えるものに限定されず、タッチパネルディスプレイ３１０のみを備えるものであってもよい。タッチパネルディスプレイ３１０の画面は表示操作部３２０の電源キーを押すと、コピー、ファクシミリ、スキャンサービスの選択画面になり、スキャンサービスをタッチすると、図２で説明したＷｅｂページの表示画面になる。
【００４７】
給紙部３０６は、用紙カセット３０６−１に収納された記録用紙、または手差トレイ３０６−２に載置された記録用紙を１枚ずつ引出してプリンタ部３０７へ送り出す。
【００４８】
プリンタ部３０７は、複合機に入力される画像データに基づき画像の形成を行う。プリンタ部３０７は、スキャナ部３０４から読み取られた画像データ若しくは記憶部３０５に記憶された画像データを記録用紙に形成（印刷）し、又は図１のサーバー２０のストレージ部２０１に記憶された画像データ若しくは画像処理部２０２により画像処理された画像データを、送受信部３００を介して受信して、記録媒体となる記録用紙に形成（印刷）することができる。また、プリンタ部３０７は複合機に取り付けられるＵＳＢメモリ等から入力される画像データを記録用紙に形成（印刷）することもできる。プリンタ部３０７では、感光体ドラムの表面を帯電させ、画像データの画像に対応して感光体ドラム表面を露光して静電潜像を形成する。その後、感光体ドラムの静電潜像を現像して、トナー像を形成する。このトナー像を記録用紙に転写し、加熱して記録用紙に定着する。カラー画像を印刷する場合には、ブラック（Ｋ）、シアン（Ｃ）、マゼンダ（Ｍ）、イエロー（Ｙ）の各色のトナーを用いて各色ごとに設けられた感光体ドラムにトナー像を形成し、中間転写ベルトに各色のトナー像を順次転写して重ね合わせてカラーのトナー画像を形成し、このトナー画像を記録媒体となる記録用紙に転写し、加熱して記録用紙に定着する。
【００４９】
排紙部１０８は、プリンタ部３０７により画像が形成された記録用紙を排出する。
【００５０】
記憶部３０５は、制御部３０１がＣＰＵで構成される場合に演算および処理の結果を一時的に記憶するワーキングメモリとしての機能と、画像データを記憶するフレームメモリとしての機能とを有する。そして、複合機外部から端末コンピュータやサーバーなどによって複合機に入力された画像データやスキャナ部３０４により読み取られた原稿の画像データなどを記憶する。
【００５１】
制御部３０１は、複合機全体の動きを制御する。
【００５２】
送受信部３００は、外部のサーバー、端末コンピュータ等と接続されて通信を可能にする。具体的には、送受信部３００には、画像データの送受信用に公衆回線が接続され、図示しないネットワークインターフェイスには、ネットワーク回線が接続されている。
【００５３】
以上、本発明の各実施形態について説明したが、スキャンサービス端末はその機能の全部又は一部（プレビュー生成部、制御部、表示切替部、ＵＩ制御部等）をハードウェア、ソフトウェア又はこれらの組合わせにより実現することができる。ここで、ソフトウェアによって実現されるとは、コンピュータがプログラムを読み込んで実行することにより実現されることを意味する。
【００５４】
ソフトウェアによって実現する場合、プレビュー生成部１０２、制御部１０８、表示切替部１０５、ＵＩ制御部１０６の一部又は全部を、ＣＰＵとプログラムを記憶したハードディスク、ＲＯＭ等の記憶部とを含むコンピュータで構成して、図３、図５又は図７のフローチャートに沿ったプログラムに従い、演算に必要な情報をＲＡＭ等の第２の記憶部に記憶し、処理を実行することで、プレビュー生成部１０２、制御部１０８、表示切替部１０５、ＵＩ制御部１０６の一部又は全部の動作をプログラムで実行ことができる。プログラムは、プログラムが記録されたＣＤ−ＲＯＭ、ＤＶＤ、フラッシュメモリ等の外部記憶媒体からハードディスク等の記憶部に読み込むことができる。
【産業上の利用可能性】
【００５５】
本発明は、読み取った原稿をネットワーク上またはインターネット上のサーバーに送信するスキャンサービス端末、スキャンサービスシステム、スキャン情報提供方法、及びスキャン情報提供用プログラムに適用される。
【符号の説明】
【００５６】
１０  端末
２０  サーバー
１０１  原稿読み取り部
１０２  プレビュー生成部
１０３  送受信部
１０４  Ｗｅｂブラウザー
１０５  表示切替部
１０６  ＵＩ制御部
１０７  表示部
１０８  制御部
２０１  ストレージ部
２０２  画像処理部
２０３  送受信部
２０４  Ｗｅｂサーバー部
２０５  制御部
【図１】
0006614744.tif 000002
【図２】
0006614744.tif 000003
【図３】
0006614744.tif 000004
【図４】
0006614744.tif 000005
【図５】
0006614744.tif 000006
【図６】
0006614744.tif 000007
【図７】
0006614744.tif 000008
【図８】
0006614744.tif 000009
【図９】
0006614744.tif 000010
【図１０】
0006614744.tif 000011